(57)【要約】【課題】日本蜜蜂の養蜂において採蜜に要するコストや時間を削減でき、衛生的に採蜜でき、養蜂家への負担を軽減できる採蜜用器具を提供する。【解決手段】開閉できるように蝶着された２枚の枠２ａ，２ｂと、２枚の枠２ａ，２ｂの夫々に嵌め込んだ網目状に金属線を製織してなる２枚の製織金網３ａ，３ｂとを備え、２枚の枠２ａ，２ｂを閉じることで２枚の製織金網３ａ，３ｂによって日本蜜蜂の自然巣片を挟み込み、採蜜用の遠心分離器７に巣枠に代えて装着できるようにする。【選択図】図１
0003137356.tif 000002
【実用新案登録請求の範囲】
【請求項１】
開閉できるように蝶着された２枚の枠と、
前記２枚の枠の夫々に嵌め込んだ網目状に金属線を製織してなる２枚の製織金網とを備え、
前記２枚の枠を閉じることで前記２枚の製織金網によって日本蜜蜂の自然巣片を挟み込み、採蜜用の遠心分離器に巣枠に代えて装着できるように構成したことを特徴とする採蜜用器具。
【考案の詳細な説明】
【技術分野】
【０００１】
本考案は、日本蜜蜂の自然巣から採蜜する際に用いて好適な採蜜用器具に関する。
【背景技術】
【０００２】
日本国内で市販されている蜂蜜には西洋蜜蜂から採取したものと日本蜜蜂から採取したものとがあり、一般に蜂蜜といえば西洋蜜蜂から採取したものを指す場合が多い。これは、日本蜜蜂に比べて西洋蜜蜂の方が蜂蜜を多く採取でき、容易に飼育できるため、西洋蜜蜂の養蜂が日本国内でより広く普及したことに起因している。
【０００３】
この西洋蜜蜂の養蜂は、蜂の巣の元になる西洋蜜蜂用巣礎を張った巣枠を巣箱（巣枠式巣箱）に幾つも装着し、造巣させて蜂蜜が貯まった巣枠を巣箱から取り出し、この巣枠を遠心分離器にかけて所定の容器に貯蜜する採蜜方法が採られている。
【０００４】
一方、日本蜜蜂は、春の分蜂時期に分蜂群の巣箱への取り込みが成功すれば日本蜜蜂用巣礎を張った巣枠式巣箱でも容易に飼育することができるが、警戒心の強い日本蜜蜂が分蜂時期に巣枠式巣箱に飛んできて入ることは極めて稀で、分蜂群を強制的に巣枠式巣箱に入れても巣枠等を警戒して逃げてしまう場合がほとんどである。なお、特許文献１には、日本蜜蜂の体型に合わせた日本蜜蜂用巣礎についての技術が開示されている。
【０００５】
ここで、分蜂とは、巣の中に新しい女王蜂が生まれた際に、前からいた女王蜂が新しい女王蜂に巣を引き渡し、新しい巣を求めて出て行く現象をいう。このとき、巣にいるおよそ半分の働き蜂も一緒に出ていき、新しい巣の候補地が見つかるまで木等に塊をつくって待機している。この塊になって待機している蜜蜂の群れを分蜂群といい、巣枠式巣箱で飼育するためには、この分蜂群を網や袋に採って自分の飼育したい巣箱に強制的に取り入れる。
【０００６】
これに対して、昔ながらの杉の丸太の中をくりぬき天井に杉の板を貼り付けて作った巣箱や、杉の板を組み立てただけの単純な巣箱であれば、分蜂時期に、巣箱の周辺にいるほとんどの日本蜜蜂の分蜂群がこのような昔ながらの巣箱を新しい巣の候補地として選択する。また、昔ながらの巣箱であれば、日本蜜蜂の分蜂群を確保し強制的に巣箱に取り込んだとしても巣枠式巣箱に比べれば逃げる確率が非常に低い。すなわち、昔ながらの巣箱は、箱の中に何もないので日本蜜蜂が警戒しないため分蜂群を確保するには最適である。
【０００７】
また、昔ながらの巣箱は、低コストで沢山作ることができ、日本蜜蜂が自然に箱に入り特別何もしなくても蜂蜜を貯めてくれるという利点を有する。したがって、蜂蜜の収穫量が少ないにも拘わらず、昔ながらの巣箱を用いて、趣味で日本蜜蜂を飼育している養蜂家が多い。
【０００８】
このため、日本蜜蜂の養蜂は、一般的に、巣枠式巣箱を用いず、昔ながらの杉の丸太の中をくりぬき天井に杉の板を貼り付けて作った巣箱や、杉の板を組み立てただけの単純な巣箱の中で日本蜜蜂に自然に造巣させ、蜂蜜が貯まった時点で自然巣をナイフ等で切り取り、この自然巣から自然落下による濾過によって所定の容器に貯蜜する採蜜方法が採られている（例えば、特許文献２には、自然落下による濾過によって採蜜を行う蜂蜜濾過器についての技術が開示されている。）。また、この手法であれば巣枠式巣箱，日本蜜蜂用巣礎，巣枠を幾つも準備する必要がなくコストがかからないため、趣味の範疇で養蜂を行っている養蜂家のニーズにも適っている。
【特許文献１】実用新案登録第３１２０９５４号公報
【特許文献２】実用新案登録第３１３０１６１号公報
【考案の開示】
【考案が解決しようとする課題】
【０００９】
しかしながら、自然落下による濾過によって採蜜する日本蜜蜂の採蜜方法は、採蜜に時間（例えば１日〜３日）がかかるという問題があった。また、この採蜜方法によれば、蜂蜜が長時間大気に晒されるため、埃や害虫によって衛生的に問題となる場合があった。
【００１０】
かかる問題は、日本蜜蜂用巣礎を張った巣枠を遠心分離器にかけることで解消し得るが、前述の通り、この日本蜜蜂用巣礎を用いた養蜂は、警戒心の強い日本蜜蜂の分蜂群が巣枠式巣箱を自然に選択することはなく、分蜂群を強制的に巣枠式巣箱に入れても巣枠等を警戒して逃げてしまうという問題があった。加えて、この日本蜜蜂用巣礎を用いた養蜂は、特に趣味の範疇で養蜂を行っている養蜂家にとって、巣枠式巣箱，日本蜜蜂用巣礎，巣枠を幾つも準備する必要があるためコストの面からも負担がかかるという問題があった。
【００１１】
そこで、本考案が解決しようとする課題は、日本蜜蜂の養蜂において採蜜に要するコストや時間を削減でき、衛生的に採蜜でき、養蜂家への負担を軽減できる採蜜用器具を提供することである。
【課題を解決するための手段】
【００１２】
前記の課題を解決するために、本考案に係る採蜜用器具は、開閉できるように蝶着された２枚の枠と、前記２枚の枠の夫々に嵌め込んだ網目状に金属線を製織してなる２枚の製織金網とを備え、前記２枚の枠を閉じることで前記２枚の製織金網によって日本蜜蜂の自然巣片を挟み込み、採蜜用の遠心分離器に巣枠に代えて装着できるように構成したことを特徴としている。
【００１３】
本考案によれば、巣礎を張った巣枠を巣箱に幾つも装着して蜜蜂に造巣させるという人工的な手法は採らず、巣箱の中で日本蜜蜂に自然に造巣させ、蜂蜜が貯まった自然巣から採蜜する。したがって、本考案によれば、巣枠式巣箱，日本蜜蜂用巣礎，巣枠を幾つも準備する必要がなくコストを削減でき、自作の簡単な巣箱で飼育ができる。
【００１４】
また、本考案によれば、２枚の製織金網によって日本蜜蜂の自然巣片を挟み込んだ採蜜用器具を、西洋蜜蜂の採蜜用に開発された遠心分離器に巣枠に代えて取り付けることができる。したがって、本考案によれば、日本蜜蜂の自然巣片から遠心分離器を用いて容易に採蜜することができ、採蜜に要する時間を短縮できる。また、本考案によれば、採蜜に遠心分離器を用いるので埃や害虫による被害が少なく衛生面においても優れた効果を奏する。
【考案の効果】
【００１５】
本考案によれば、日本蜜蜂の養蜂において採蜜に要するコストや時間を削減でき、衛生的に採蜜でき、養蜂家への負担を軽減できる採蜜用器具を提供できる。
【考案を実施するための最良の形態】
【００１６】
以下、本考案を適用した具体的な実施の形態について、図面を参照しながら詳細に説明する。本考案は、例えば図１及び図２に示すような構成の採蜜用器具１に適用される。
【００１７】
先ず、採蜜用器具１の構成について説明する。この採蜜用器具１は、図１及び図２に示すように、開閉できるように蝶着された２枚の枠２ａ，２ｂと、この２枚の枠２ａ，２ｂの夫々に嵌め込んだ網目状に金属線を製織してなる２枚の製織金網３ａ，３ｂとを主要部として備えている。
【００１８】
２枚の枠２ａ，２ｂは、図１及び図２に示すように、同様の形状を有しており、蝶番６によって開閉できるように蝶着されている。２枚の枠２ａ，２ｂは、使用する遠心分離器７の規格を考慮して、例えば、縦４５ｃｍ，横２４ｃｍ，高さ２ｃｍ，肉厚１ｃｍとなるように木材を加工して得られる。枠２ａ，２ｂを重ねたときの高さは４ｃｍとなる。なお、枠２ａ，２ｂのサイズは、使用する遠心分離器７の規格に応じて適宜変更する。
【００１９】
２枚の枠２ａ，２ｂは、図１及び図２に示すように、内側に溝４ａ，４ｂが設けられ、枠２ａ，２ｂの長手方向の一方側に製織金網３ａ，３ｂの挿入口５ａ，５ｂが設けられている。
【００２０】
２枚の製織金網３ａ，３ｂは、網目状にステンレス線を製織してなり、周囲をステンレス線で取り囲むことで補強され、溝４ａ，４ｂへの脱着が容易になっている。このように、製織金網３ａ，３ｂを枠２ａ，２ｂに容易に脱着できるため、溝４ａ，４ｂを洗浄し易く、また、製織金網３ａ，３ｂが傷んだ場合、製織金網３ａ，３ｂを交換することができる。
【００２１】
溝４ａ，４ｂは、枠２ａ，２ｂの高さ１．５ｃｍのところに設けられ、図１に示すように、製織金網３ａ，３ｂを溝４ａ，４ｂに沿うように嵌め込んだ状態で枠２ａ，２ｂを閉じると、製織金網３ａと製織金網３ｂとの間に３ｃｍの隙間ができるようになっている。
【００２２】
次に、採蜜用器具１の動作について説明する。先ず、図２に示すように、枠２ａ，２ｂを開いた状態にする。蜂蜜が貯まった日本蜜蜂の自然巣をナイフ等で切り出し、切り出された自然巣片を製織金網３ａ，３ｂの片側に載せる。そして、枠２ａ，２ｂのうち自然巣片を載せていない側を閉じることにより、自然巣片を製織金網３ａと製織金網３ｂとの間にできる３ｃｍの隙間に挟み込む。
【００２３】
続いて、自然巣片を製織金網３ａと製織金網３ｂとの間に挟み込んだ状態で採蜜用の遠心分離器７に巣枠に代えて装着する。そして、遠心分離器７を作動させて採蜜を行う。採蜜用の遠心分離器７は、図３に示すような市販されているものを使用する。遠心分離器７の動作については一般的な巣枠を用いた場合の動作と同様であるため説明を省略する。
【００２４】
最後に、採蜜用器具１の作用について説明する。採蜜用器具１によれば、巣礎を張った巣枠を巣箱に幾つも装着して蜜蜂に造巣させるという人工的な手法は採らず、巣箱の中で日本蜜蜂に自然に造巣させ、蜂蜜が貯まった自然巣から採蜜する。したがって、採蜜用器具１によれば、巣枠式巣箱，日本蜜蜂用巣礎，巣枠を幾つも準備する必要がなくコストを削減でき、巣枠を用いないので飼育の面でも養蜂家の負担を軽減できる。
【００２５】
また、採蜜用器具１によれば、２枚の製織金網３ａ，３ｂによって日本蜜蜂の自然巣片を挟み込んだ採蜜用器具１を、西洋蜜蜂の採蜜用に開発された遠心分離器７に巣枠に代えて取り付けることができる。したがって、採蜜用器具１によれば、日本蜜蜂の自然巣片から遠心分離器７を用いて容易に採蜜することができ、採蜜に要する時間を短縮できる。また、採蜜用器具１によれば、採蜜に遠心分離器７を用いるので埃や害虫による被害が少なく衛生面においても優れた効果を奏する。
【００２６】
なお、本考案は、前記した実施の形態に限定されるものではなく、本考案の要旨を逸脱しない範囲内において種々変更を加え得ることは勿論である。
【図面の簡単な説明】
【００２７】
【図１】本考案の実施例であり、採蜜用器具の枠を閉じた状態を示す図である。
【図２】本考案の実施例であり、採蜜用器具の枠を開いた状態を示す図である。
【図３】市販されている採蜜用の遠心分離器を示す図である。
【符号の説明】
【００２８】
１        採蜜用器具
２ａ，２ｂ    枠
３ａ，３ｂ    製織金網
４ａ，４ｂ    溝
５ａ，５ｂ    挿入口
６        蝶番
７        遠心分離器
【図１】
0003137356.tif 000003
【図２】
0003137356.tif 000004
【図３】
0003137356.tif 000005